【手続補正書】
【提出日】平成20年8月5日(2008.8.5)
【手続補正１】
【補正対象書類名】特許請求の範囲
【補正対象項目名】全文
【補正方法】変更
【補正の内容】
【特許請求の範囲】
【請求項１】
自己密封式血管グラフトであって、
第１表面および第１表面から隔置された第２表面を有する全体的に管状のｅＰＴＦＥ基体を備え、ｅＰＴＦＥ基体は、高有孔性グラフト、薄肉グラフトおよびその組合せで構成されたグループから選択され、前記血管グラフトはさらに、
基体の第１および第２表面の一方に配置されたシーラントの層を備える、血管グラフト。
【請求項２】
自己密封式グラフトであって、
管状ｅＰＴＦＥ基体を備え、ｅＰＴＦＥ基体は高有孔性グラフト、薄肉グラフトまたはその組合せのいずれかであり、前記グラフトはさらに、
基体の少なくとも一部に配置されたシーラントの層を備える、グラフト。
【請求項３】
ＡＶ瘻として植え込まれるグラフトであって、
管状ｅＰＴＦＥ基体と、
基体の少なくとも一部に配置されたシーラントの層とを備え、
シーラント層が、その長さに沿って隔置された複数の溝付き区間を有する、グラフト。
【請求項４】
血管グラフトであって、
基体およびベース層を囲む外部ポリマー層と、
基体と外部ポリマー層との間に分散した複数の発泡体層とを備える、血管グラフト。
【請求項５】
血管グラフトであって、
第１厚さを有し、基体を囲むポリマーの内部シーラント層と、
内部シーラント層を囲むポリウレタンの発泡体層とを備え、発泡体層が、第１厚さの１．５倍以上の第２厚さを有する、血管グラフト。
【請求項６】
血管グラフトであって、
外壁を含む基体と、
ポリマーシーラント材料を備え、基体の長さにわたって配置されたベースシーラント層と、
ポリマー発泡体材料を備え、ベース層の長さにわたって配置された第１発泡体層と、
第１発泡体層に少なくとも部分的に埋め込まれたビードと、
ポリマー発泡体材料を備え、第１発泡体層およびビードの長さにわたって配置された第２発泡体層と、
ポリマーを備える外部層とを備える、血管グラフト。
【請求項７】
シーラント層が、約１０ミクロンから約１５００ミクロンの範囲の厚さを有する、請求項１から６のいずれかに記載のグラフト。
【請求項８】
基体の厚さがシーラント層の厚さより薄い、請求項１から７のいずれかに記載のグラフト。
【請求項９】
シーラント層がエラストマ材料で構成される、請求項１から８のいずれかに記載のグラフト。
【請求項１０】
シーラント層がポリウレタンで構成される、請求項１から９のいずれかに記載のグラフト。
【請求項１１】
基体が高有孔性グラフトであり、異なる有孔性を有する第２グラフトが、高有孔性グラフト内に同心で位置決めされる、請求項１から１０のいずれかに記載のグラフト。
【請求項１２】
半径方向コンプライアンスが基体に与えられている、請求項１から１１のいずれかに記載のグラフト。
【請求項１３】
長手方向のコンプライアンスが基体に与えられている、請求項１から１２のいずれかに記載のグラフト。
【請求項１４】
さらに、基体の外面に位置決めされたビードを備える、請求項１から１３のいずれかに記載のグラフト。
【請求項１５】
ビードが放射線不透過性材料を備える、請求項１から１４のいずれかに記載のグラフト。
【請求項１６】
基体、シーラント層、発泡体層および外部層の少なくとも１つが放射線不透過性材料を含む、請求項１から１５のいずれかに記載のグラフト。
【請求項１７】
放射線不透過性材料が、基本的に硫酸バリウム、次炭酸ビスマス、三酸化ビスマス、タングステン、またはタンタルおよびその組合せで構成されたグループから選択される、請求項１から１６のいずれかに記載のグラフト。
【請求項１８】
シーラント層が、その長さにわたって隔置された複数の溝を備える、請求項１から１７のいずれかに記載のグラフト。
【請求項１９】
さらに、シーラント層上に配置された発泡体層を備える、請求項１から１８のいずれかに記載のグラフト。
【請求項２０】
さらに、発泡体層に少なくとも部分的に埋め込まれたビードを備える、請求項１から１９のいずれかに記載のグラフト。
【請求項２１】
さらに、ｅＰＴＦＥテープの外部層を備える、請求項１から２０のいずれかに記載のグラフト。
【請求項２２】
ｅＰＴＦＥテープまたは発泡体層のいずれか１つの外面に配向線が配置され、したがって配向線がグラフトの外面によって画定された縦軸に沿って延在する、請求項２１に記載のグラフト。
【請求項２３】
配向線が外面に印刷された線を備える、請求項２２に記載のグラフト。
【請求項２４】
線が少なくとも１本の連続線を備える、請求項２３に記載のグラフト。
【請求項２５】
線が着色インクを備える、請求項２３に記載のグラフト。
【請求項２６】
着色インクがポリマー結合剤および生体適合性インクを備える、請求項２５に記載のグラフト。
【請求項２７】
生体適合性インクが、基本的にフタロシアニナート（２−）銅、Ｄ＆Ｃの青９号、Ｄ＆Ｃの緑５号、油溶性クロロフィリン銅複合体、クロムコバルトアルミニウム酸化物、クエン酸第二鉄アンモニウム、Ｄ＆Ｃの青５号、ＦＤ＆Ｃの青２号、Ｄ＆Ｃの緑６号、二酸化チタン、炭素、酸化鉄およびその組合せで構成されたグループから選択される、請求項２６に記載のグラフト。
【請求項２８】
生体適合性インクが、約６５００°Ｋの温度を有する光で見て、概ね青または黒色のうち少なくとも１つである、請求項２６に記載のグラフト。
【請求項２９】
さらに、基体の第１端から延在するフレア状カフを備える、請求項１から２８のいずれかに記載のグラフト。
【請求項３０】
さらに、基体、シーラント層、発泡体層および外部層の少なくとも１つに組み入れられる生理活性剤を備える、請求項１から２９のいずれかに記載のグラフト。
【請求項３１】
生理活性剤が、基本的に炭素粒子、銀粒子、グラファイト粒子、抗生物質、マクロライド抗生物質、ステロイド、消炎剤、抗腫瘍薬、抗真菌剤、抗ウイルス剤、抗体、遺伝子配列剤、成長因子阻害剤、血管形成、抗血管形成、プロティナーゼ阻害剤、抗増殖化合物または細胞分裂周期調節剤およびその組合せで構成されたグループから選択される、請求項３０に記載のグラフト。
【請求項３２】
グラフトの全体的に管状の端部が補綴カフ式グラフトのフレア状端部に結合される、請求項１から３１のいずれかに記載のグラフト。
【請求項３３】
全体的に管状の端部が、補綴カフ式グラフトの全体的に管状の部分にねじ込まれる、請求項３２に記載のグラフト。
【請求項３４】
全体的に管状の端部が、補綴カフ式グラフトの全体的に管状の部分に付着される、請求項３２に記載のグラフト。
【請求項３５】
半径方向にコンプライアンスがあるグラフトの形成方法であって、
ｅＰＴＦＥ基体を提供することと、
基体を半径方向に膨張させることと、
コーティングした基体を提供するために、半径方向に膨張した基体にエラストマ材料の層を配置することと、
コーティングした基体を加熱することとを含む、方法。
【請求項３６】
血管グラフトを形成する方法であって、
ｅＰＴＦＥ基体を提供することと、
基体の長さにわたってポリウレタンの第１層を適用することと、
基体を長手方向に圧縮することと、
ポリウレタンの第１層にポリウレタンの第２層を適用することと、
ポリウレタンでコーティングした基体にｅＰＴＦＥテープの層を巻き付けることとを含み、ｅＰＴＦＥテープが最初に溶液中を通り、したがってある量の溶液がｅＰＴＦＥテープに適用される、方法。
【請求項３７】
自己密封式血管グラフトであって、
第１表面および第１表面から隔置された第２表面を有する、全体的に管状のｅＰＴＦＥ基体と、
第１および第２表面の１つに配置されたシーラントの層とを備え、シーラントが、シーラント層を通して穿刺部材を挿入しても可塑変形しないポリマー材料を備える、血管グラフト。
【請求項３８】
シーラントが、基本的に芳香族ポリカーボネートポリウレタン、ポリエーテルウレタン、ポリエーテル／ポリアミドブロック共重合体、ポリジメチルシロキサンエラストマ、または他のシリコーンエラストマおよびその組合せで構成されたグループから選択された材料を備える、請求項３７に記載の自己密封式血管グラフト。
【請求項３９】
シーラントが熱処理した芳香族ポリカーボネートポリウレタンを備える、請求項３７に記載の自己密封式血管グラフト。
【請求項４０】
ポリウレタンが、約５０，０００ｇ／ｍｏｌｅの重量平均分子量（ＭＷ）を含む、請求項３７に記載の自己密封式血管グラフト。
【請求項４１】
シーラントが、基本的にポリエステル、コラーゲン、トロンビン、またはフィブリノゲンおよびその組合せで構成されたグループから選択された材料の粒子を備える、請求項３７から４０のいずれかに記載の自己密封式血管グラフト。
【請求項４２】
粒子がそれぞれ、約７５ミクロン未満の平均仮想直径を有する、請求項４１に記載の自己密封式血管グラフト。
【請求項４３】
ｅＰＴＦＥ基体が、高有孔性グラフト、薄肉グラフトおよびその組合せで構成されたグループから選択される、請求項３７から４２のいずれかに記載の自己密封式血管グラフト。
【請求項４４】
半径方向のコンプライアンスが基体に与えられている、請求項３７から４３のいずれかに記載の自己密封式血管グラフト。
【請求項４５】
基体が半径方向に膨張直径へと膨張して、その後に加熱し、基体を膨張直径より小さい直径へと戻す、請求項３７から４４のいずれかに記載の自己密封式血管グラフト。
【請求項４６】
長手方向のコンプライアンスが基体に与えられている、請求項３７から４５のいずれかに記載の自己密封式血管グラフト。
【請求項４７】
基体が、シーラント層の付着前に長手方向に圧縮される、請求項３７から４６のいずれかに記載の自己密封式血管グラフト。
【請求項４８】
さらに、基体の外面に位置決めされたビードを備える、請求項３７から４７のいずれかに記載の自己密封式血管グラフト。
【請求項４９】
ビードが放射線不透過性材料を備える、請求項４８に記載の自己密封式血管グラフト。
【請求項５０】
放射線不透過性材料が、基本的に硫酸バリウム、次炭酸ビスマス、三酸化ビスマス、タングステン、またはタンタルおよびその組合せで構成されたグループから選択される、請求項４９に記載の自己密封式血管グラフト。
【請求項５１】
シーラント層が、基体の長さにわたって隔置された複数の溝を備える、請求項３７から５０のいずれかに記載の自己密封式血管グラフト。
【請求項５２】
さらに、シーラント層上に配置された発泡体層を備える、請求項３７から５１のいずれかに記載の自己密封式血管グラフト。
【請求項５３】
さらに、発泡体層に少なくとも部分的に埋め込まれたビードを備える、請求項５２に記載の自己密封式血管グラフト。
【請求項５４】
さらに、ｅＰＴＦＥテープの外部層を備える、請求項３７から５３のいずれかに記載の自己密封式血管グラフト。
【請求項５５】
ｅＰＴＦＥテープまたは発泡体層のいずれか１つの外面に配向線が配置され、したがって配向線がグラフトの外面によって画定された縦軸に沿って延在する、請求項５４に記載の自己密封式血管グラフト。
【請求項５６】
配向線が外面に印刷された線を備える、請求項５５に記載の自己密封式血管グラフト。
【請求項５７】
線が少なくとも１本の連続線を備える、請求項５６に記載の自己密封式血管グラフト。
【請求項５８】
線が着色インクを備える、請求項５６に記載の自己密封式血管グラフト。
【請求項５９】
着色インクがポリマー結合剤および生体適合性インクを備える、請求項５８に記載の自己密封式血管グラフト。
【請求項６０】
生体適合性インクが、基本的にフタロシアニナート（２−）銅、Ｄ＆Ｃの青９号、Ｄ＆Ｃの緑５号、油溶性クロロフィリン銅複合体、クロムコバルトアルミニウム酸化物、クエン酸第二鉄アンモニウム、Ｄ＆Ｃの青５号、ＦＤ＆Ｃの青２号、Ｄ＆Ｃの緑６号、二酸化チタン、炭素、酸化鉄およびその組合せで構成されたグループから選択される、請求項５９に記載の自己密封式血管グラフト。
【請求項６１】
生体適合性インクが、約６５００°Ｋの温度を有する光で見て、概ね青または黒色のうち少なくとも１つである、請求項５９に記載の自己密封式血管グラフト。
【請求項６２】
さらに、基体、シーラント層、発泡体層および外部層の少なくとも１つに組み入れられる生理活性剤を備える、請求項３７から６１のいずれかに記載の自己密封式血管グラフト。
【請求項６３】
生理活性剤が、基本的に炭素粒子、銀粒子、グラファイト粒子、抗生物質、マクロライド抗生物質、ステロイド、消炎剤、抗腫瘍薬、抗真菌剤、抗ウイルス剤、抗体、遺伝子配列剤、成長因子阻害剤、血管形成、抗血管形成、プロティナーゼ阻害剤、抗増殖化合物または細胞分裂周期調節剤およびその組合せで構成されたグループから選択される、請求項６２に記載の自己密封式血管グラフト。
【請求項６４】
グラフトの全体的に管状の端部が補綴カフ式グラフトのフレア状端部に結合される、請求項３７から６３のいずれかに記載の自己密封式血管グラフト。
【請求項６５】
全体的に管状の端部が、補綴カフ式グラフトの全体的に管状の部分にねじ込まれる、請求項６４に記載の自己密封式血管グラフト。
【請求項６６】
全体的に管状の端部が、補綴カフ式グラフトの全体的に管状の部分に付着される、請求項６４に記載の自己密封式血管グラフト。
【請求項６７】
自己密封式カフ式血管グラフトの作成方法であって、
ｅＰＴＦＥ基体の第１端にカフの首部分を位置決めすることと、
基体をその第２端からカフの首部分までシーラント材料に浸漬することと、
基体およびカフの首部分をシーラント材料に浸漬することとを含む、方法。
【請求項６８】
さらに、基体および首部分にビードを巻き付けることと、ビード付き基体および首部分をシーラント材料に浸漬することとを含む、請求項６７に記載の方法。
【請求項６９】
自己密封式血管グラフトであって、
全体的に管状のｅＰＴＦＥ基体と、
基体の少なくとも一部に配置されたシーラントの層と、
基体およびシーラントの一方の表面に配置されたビードとを備える、自己密封式血管グラフト。
【請求項７０】
基体の肉厚が約２００ミクロンから約３００ミクロンの範囲である、請求項６９に記載の自己密封式血管グラフト。
【請求項７１】
シーラント層が約１０ミクロンから３００ミクロンの範囲の厚さを有する、請求項６９から７０のいずれかに記載の自己密封式血管グラフト。
【請求項７２】
ビードが表面の周囲に螺旋状に位置決めされる、請求項６９から７１のいずれかに記載の自己密封式血管グラフト。
【請求項７３】
ビードが長辺および短辺がある長方形の断面形状を有し、長辺が約１ｍｍの長さを有して、短辺が約５００ミクロンの長さを有する、請求項６９から７２のいずれかに記載の自己密封式血管グラフト。
【請求項７４】
ビードの長辺がグラフトの外面に当てて位置決めされ、螺旋状に位置決めされたビードの隣接する巻線の間隔が約１ｍｍから約２ｍｍの範囲である、請求項７３に記載の自己密封式血管グラフト。
【請求項７５】
さらに、シーラント層に配置された発泡体の層を備え、ビードが発泡体層に埋め込まれる、請求項６９から７４のいずれかに記載の自己密封式血管グラフト。
【請求項７６】
さらに、ｅＰＴＦＥテープの外部層を備える、請求項６９から７５のいずれかに記載の自己密封式血管グラフト。
【請求項７７】
ｅＰＴＦＥテープまたは発泡体層のいずれか１つの外面に配向線が配置され、したがって配向線がグラフトの外面によって画定された縦軸に沿って延在する、請求項７６に記載の自己密封式血管グラフト。
【請求項７８】
配向線が外面に印刷された線を備える、請求項７７に記載の自己密封式血管グラフト。
【請求項７９】
線が少なくとも１本の連続線を備える、請求項７８に記載の自己密封式血管グラフト。
【請求項８０】
線が着色インクを備える、請求項７８に記載の自己密封式血管グラフト。
【請求項８１】
着色インクがポリマー結合剤および生体適合性インクを備える、請求項８０に記載の自己密封式血管グラフト。
【請求項８２】
生体適合性インクが、基本的にフタロシアニナート（２−）銅、Ｄ＆Ｃの青９号、Ｄ＆Ｃの緑５号、油溶性クロロフィリン銅複合体、クロムコバルトアルミニウム酸化物、クエン酸第二鉄アンモニウム、Ｄ＆Ｃの青５号、ＦＤ＆Ｃの青２号、Ｄ＆Ｃの緑６号、二酸化チタン、炭素、酸化鉄およびその組合せで構成されたグループから選択される、請求項８１に記載の自己密封式血管グラフト。
【請求項８３】
生体適合性インクが、約６５００°Ｋの温度を有する光で見て、概ね青または黒色のうち少なくとも１つである、請求項８１に記載の自己密封式血管グラフト。
【請求項８４】
ビードが、基本的に硫酸バリウム、次炭酸ビスマス、三酸化ビスマス、タングステン、またはタンタルおよびその組合せで構成されたグループから選択される放射線不透過性材料を備える、請求項６９から８３のいずれかに記載の自己密封式血管グラフト。
【請求項８５】
基体、シーラント層、発泡体層および外部層の少なくとも１つが、基本的に硫酸バリウム、次炭酸ビスマス、三酸化ビスマス、タングステン、またはタンタルおよびその組合せで構成されたグループから選択される放射線不透過性材料を備える、請求項６９から８４のいずれかに記載の自己密封式血管グラフト。
【請求項８６】
ビードが、基本的に形状記憶材料、超可塑性金属、ステンレス鋼、ポリエステル、ナイロン、ポリウレタン、ＰＴＦＥまたはｅＰＴＦＥおよびその組合せから構成されるグループから選択される材料を備える、請求項６９から８５のいずれかに記載の自己密封式血管グラフト。
【請求項８７】
ビードがシーラントのそれと同様の材料のコーティングを備える、請求項６９から８６のいずれかに記載の自己密封式血管グラフト。
【請求項８８】
ビードの各区画が隣接する区画から約０．５ｍｍから約２．５ｍｍの範囲の距離だけ隔置される、請求項６９から８７のいずれかに記載の自己密封式血管グラフト。
【請求項８９】
さらに、基体の第１端から延在する補綴カフを備える、請求項６９から８８のいずれかに記載の自己密封式血管グラフト。
【請求項９０】
カフがその近位端から延在する管状部分を備え、少なくとも一部がビード上に位置決めされるように管状部分が、グラフト上で位置決めされる、請求項８９に記載の自己密封式血管グラフト。
【請求項９１】
半径方向コンプライアンスが基体に与えられている、請求項６９から９０のいずれかに記載の自己密封式血管グラフト。
【請求項９２】
長手方向のコンプライアンスが基体に与えられている、請求項６９から９１のいずれかに記載の自己密封式血管グラフト。
【請求項９３】
捩れ抵抗性自己密封式血管グラフトの作成方法であって、
全体的に管状のｅＰＴＦＥ基体を提供することと、
基体の外面の少なくとも一部にシーラントの層を配置することと、
シーラント層に溝付き区間を作成することとを含む、方法。
【請求項９４】
作成することが、シーラント層の区間を除去することを含み、区間がグラフトの長さに沿って隔置される、請求項９３に記載の方法。
【請求項９５】
区間がグラフトの中央部分からのみ除去される、請求項９４に記載の方法。
【請求項９６】
作成することが、区間を約０．５ｍｍから約５．０ｍｍの範囲の距離だけ隔置することを含む、請求項９３から９５のいずれかに記載の方法。
【請求項９７】
捩れ抵抗性自己密封式血管グラフトの作成方法であって、
全体的に管状のｅＰＴＦＥ基体を提供することと、
基体の外面の少なくとも一部にシーラントの層を配置することと、
シーラント層の少なくとも一部にビードを位置決めすることと、
カフ式グラフトを血管グラフトに結合することとを含む、方法。
【請求項９８】
結合することが、管状部分の近位端がビードの端部に隣接するように、カフ式グラフトの管状部分を血管グラフトの第１端上に位置決めすることと、カフ式グラフトをビードの一部上で近位方向に移動するために、管状部分を回転することとを含む、請求項９７に記載の方法。
【請求項９９】
さらに、管状部分の内面に接着剤を適用することによって、カフ式グラフトを血管グラフトに付着させることを含む、請求項９７から９８のいずれかに記載の方法。
【請求項１００】
自己密封式カフ式血管グラフトの作成方法であって、
縦軸に沿って延在する第１端および第２端を有する実質的に管状のｅＰＴＦＥ基体の周囲に全体的に螺旋状に配置されたビードを取り付けることと、
第１および第２端の一方にフレア状血管カフを結合することと、
結合した血管カフと全体的に管状のｅＰＴＦＥ基体を付着させることとを含む、方法。
【請求項１０１】
結合することが、近位方向に力を加えながら、ビード上でカフの全体的に管状の近位部分を回転させることを含む、請求項１００に記載の方法。
【請求項１０２】
付着させることが非プロトン性溶媒を適用することを含む、請求項１００から１０１のいずれかに記載の方法。
【請求項１０３】
付着させることが、カフおよび基体の一方または両方にテトラヒドロフラン（ＴＨＦ）を適用することを含む、請求項１０２に記載の方法。
【請求項１０４】
自己密封式血管グラフトの作成方法であって、
ｅＰＴＦＥ基体の外面の長さにわたってエラストマシーラント層を設けることと、
シーラント層の少なくとも一部に発泡体層を配置することとを含み、
発泡体層の厚さが基体の肉厚より実質的に厚い、方法。
【請求項１０５】
発泡体層の厚さが、基体の肉厚の約２倍である、請求項１０４に記載の方法。
【請求項１０６】
配置することが、シーラント層にポリウレタンおよびジメチルアセトアミドの溶液をコーティングすることと、コーティングしたグラフトを水に浸漬することとを含む、請求項１０４から１０５のいずれかに記載の方法。
【請求項１０７】
溶液が、約１６グラムのポリウレタンを約８４グラムのジメチルアセトアミドに溶解することによって準備される、請求項１０６に記載の方法。
【請求項１０８】
コーティングしたグラフトを最初にほぼ室温で約３０分間、水に浸漬するか、入れ、その後にコーティングしたグラフトを約４０℃の水に約１６時間入れる、請求項１０６から１０７のいずれかに記載の方法。
【請求項１０９】
さらに、グラフトを約２４時間、空気乾燥することを含む、請求項１０６から１０８のいずれかに記載の方法。
【請求項１１０】
配置することが、シーラント層を塩溶液でコーティングすることと、コーティングしたグラフトを乾燥することと、乾燥したコーティング済みグラフトを水に入れることとを含む、請求項１０４に記載の方法。
【請求項１１１】
水が約６０℃の温度に設定され、乾燥したコーティング済みグラフトが水に約１６時間入れられる、請求項１１０に記載の方法。
【請求項１１２】
塩溶液が、ポリウレタンの実質的な溶解が達成されるまで、約２．５グラムのポリウレタンと約１０グラムのジメチルアセトアミドと約７．５グラムの塩化ナトリウムとを混合することによって準備される、請求項１１０から１１１のいずれかに記載の方法。
【請求項１１３】
配置することが、シーラント層をポリマー溶液でコーティングすることと、ポリマー溶液中で溶媒を消散させることと、ポリマー溶液中の塩を除去することとを含む、請求項１０４に記載の方法。
【請求項１１４】
ポリマー溶液が、ポリマーを塩溶液と組み合わせることによって準備され、塩溶液中の塩が、基本的に塩化ナトリウム、重炭酸アンモニウムまたは炭酸アンモニウム、およびその組合せで構成されたグループから選択される、請求項１１３に記載の方法。
【請求項１１５】
塩を除去することが、コーティングしたグラフトを水に浸漬するか、入れることを含む、請求項１１３から１１４のいずれかに記載の方法。
【請求項１１６】
塩を除去することが、コーティングしたグラフトを加熱することを含む、請求項１１３から１１４のいずれかに記載の方法。
【請求項１１７】
配置することが、ポリマー溶液をシーラント層に噴霧することを含み、ポリマー溶液がテトラヒドロフラン（ＴＨＦ）を含む、請求項１０４に記載の方法。
【請求項１１８】
ポリマー溶液がポリカーボネートポリウレタンを備え、溶液を噴霧することが、ノズルがあるスプレーガンを使用することと、ポリウレタンの発泡体層がグラフト上に提供されるように、噴霧中にグラフトとノズル間の距離を約１２インチから約２０インチの範囲に維持することとを含む、請求項１１７に記載の方法。
【請求項１１９】
ポリマー溶液を準備することが、ＴＨＦと混合する前にポリカーボネートポリウレタンを加熱することを含む、請求項１１７から１１８のいずれかに記載の方法。
【請求項１２０】
ポリマー溶液を準備することが、重量で約８８％のポリカーボネートポリウレタンをＴＨＦに添加することを含む、請求項１１７から１１９のいずれかに記載の方法。
【請求項１２１】
さらに、約５０℃から約７０℃の範囲の温度に設定された炉に約１時間から約２４時間の範囲の時間長さにわたってグラフトを配置することを含む、請求項１１７から１２０のいずれかに記載の方法。
【請求項１２２】
さらに、ビードを発泡体層に埋め込むために、張力を加えてビードをグラフトの周囲に螺旋状に巻き付けることを含む、請求項１０４から１２１のいずれかに記載の方法。
【請求項１２３】
ビードが、基本的に硫酸バリウム、次炭酸ビスマス、三酸化ビスマス、タングステン、またはタンタルおよびその組合せで構成されたグループから選択された放射線不透過性材料を備える、請求項１２２に記載の自己密封式血管グラフト。
【請求項１２４】
ビードが、基本的に形状記憶材料、超可塑性金属、ステンレス鋼、ポリエステル、ナイロン、ポリウレタン、ＰＴＦＥまたはｅＰＴＦＥおよびその組合せから構成されるグループから選択される材料を備える、請求項１２２から１２３のいずれかに記載の自己密封式血管グラフト。
【請求項１２５】
張力の力が約５００グラムであり、螺旋状に巻き付けることが、ビードをグラフトに接触させる前にＴＨＦを含む溶液にビードを通すことを含む、請求項１２２から１２４のいずれかに記載の方法。
【請求項１２６】
さらに、基体の壁、シーラント層、発泡体層および第２発泡体層の組合せ厚さが、約１ｍｍから約２ｍｍの範囲であるように、第２発泡体層を発泡体層上に配置することを含む、請求項１０４から１２５のいずれかに記載の方法。
【請求項１２７】
さらに、テープの隣接する巻線の縁部が重なるように、ポリマーテープを第２発泡体層に螺旋状に巻き付けることを含む、請求項１２６に記載の方法。
【請求項１２８】
ポリマーテープがｅＰＴＦＥを備え、テープを螺旋状に巻き付けることが、ＴＨＦをテープに適用することを含む、請求項１２７に記載の方法。
【請求項１２９】
ポリマーテープがｅＰＴＦＥを備え、テープを螺旋状に巻き付けることが、テープに張力を加えることを含む、請求項１２７から１２８のいずれかに記載の方法。
【請求項１３０】
さらに、シーラント層を設ける前に、基体を膨張直径へと半径方向に膨張させることと、シーラント層を設けた後であるが、発泡体層を配置する前に、膨張直径より小さい直径に基体を戻すために基板を加熱することを含む、請求項１０４から１２９のいずれかに記載の方法。
【請求項１３１】
膨張するステップが、基体を、基体の元の直径の約１．５倍から約５倍の範囲の膨張直径まで基体を膨張させることを含む、請求項１３０に記載の方法。
【請求項１３２】
膨張するステップが、基体の元の直径の約４倍から５倍の範囲の膨張直径まで基体を膨張させることを含む、請求項１３０に記載の方法。
【請求項１３３】
さらに、シーラント層を配置する前に基体を長手方向に圧縮することを含む、請求項１０４から１３２のいずれかに記載の方法。
【請求項１３４】
基体の第１端が、発泡体層がないシーラント層を備え、さらに、基体の第１端にフレア状カフ部材の首部分を位置決めすることと、溶媒を首部分に適用することとを含む、請求項１０４から１３３のいずれかに記載の方法。
【請求項１３５】
基体が第１端から延在するフレア状一体カフを備え、シーラント層を設けることが、カフの外面にシーラント材料を設けることを含む、請求項１０４から１３３のいずれかに記載の方法。
【請求項１３６】
カフの外面にシーラント材料を設けることが、カフにシーラント材料を設ける前にシーラント材料に放射線不透過性物質を添加することを含む、請求項１３５に記載の方法。
【請求項１３７】
カフの外面にシーラント材料を設けることが、シーラント材料を設ける前にカフにマスクを配置することを含み、マスクが開口のパターンを含む、請求項１３５から１３６のいずれかに記載の方法。
【請求項１３８】
さらに、カフ上にシーラント材料のパターンを作成するためにシーラント材料の区間を除去することを含む、請求項１３５から１３６のいずれかに記載の方法。
【請求項１３９】
さらに、基体、シーラント層または発泡体層のうち少なくとも１つに１つまたは複数の生理活性剤を組み入れることを含む、請求項１０４から１３８のいずれかに記載の方法。
【請求項１４０】
さらに、基体とｅＰＴＦＥの外部層との間に配置されたビードを備える第１ゾーン、および基体とｅＰＴＦＥの外部層との間にビードがない第２ゾーンで、少なくとも２つの長手方向に別個のゾーンを形成することを含む、請求項１０４から１３９のいずれかに記載の方法。
【請求項１４１】
第１ゾーンの層の少なくとも１つが、第２ゾーンの対応する層より大きい厚さを有する、請求項１０５に記載の方法。
【請求項１４２】
自己密封式血管グラフトの作成方法であって、
ポリウレタン材料の少なくとも１つの層をｅＰＴＦＥ基体の表面に配置することと、
ｅＰＴＦＥ部材をポリウレタン材料に付着させることとを含む、方法。
【請求項１４３】
付着させることが、ポリウレタン材料と接触させる前にｅＰＴＦＥ部材を溶媒に浸すことを含む請求項１４２に記載の方法。
【請求項１４４】
付着させることが、ｅＰＴＦＥ部材をポリウレタン材料に位置決めした後に、ｅＰＴＦＥ部材の溶媒を噴霧することを含む、請求項１４２に記載の方法。
【請求項１４５】
付着させることが、ポリウレタン材料に接触させる直前にｅＰＴＦＥ部材を溶媒に通すことを含む、請求項１４２に記載の方法。
【請求項１４６】
通すことが、自身の壁に１つまたは複数の開口がある加圧された管、および１つまたは複数の開口上に位置決めされた品目を備える配置装置を通してｅＰＴＦＥ部材を移動させることを含み、加圧された管が、溶媒を含む容器、圧力制御装置および調整器に接続され、ほぼ同量の溶媒がｅＰＴＦＥ部材に適用されるように、ｅＰＴＦＥ部材が、最初に溶媒で飽和した品目上を通過する、請求項１４５に記載の方法。
【請求項１４７】
ｅＰＴＦＥ部材がプーリシステム上のスプールから供給され、グラフトの回転中にグラフトの表面に適用される、請求項１４２から１４６のいずれかに記載の方法。
【請求項１４８】
溶媒がテトラヒドロフラン（ＴＨＦ）を備える、請求項１４３から１４７のいずれかに記載の方法。
【請求項１４９】
ｅＰＴＦＥ部材がある長さのｅＰＴＦＥテープである、請求項１４２から１４８のいずれかに記載の方法。
【請求項１５０】
ポリウレタン材料の少なくとも１つの層が、第１および第２ベース層を備え、さらに、ある長さの基体に第１ベース層を配置することと、第１ベース層とともに基体を長手方向に圧縮することと、第１層上に第２層を配置することとを含む、請求項１４２から１４９のいずれかに記載の方法。
【請求項１５１】
第１ベース層とともに基体を長手方向に圧縮することが、基体の長さの約２０％を圧縮することを含む、請求項１５０に記載の方法。
【請求項１５２】
ポリウレタン材料の少なくとも１つの層が、第１発泡体層を備え、第１発泡体層は、基体の各端部から最大約５．０ｃｍの長さに第１発泡体層がないように、基体の中央部分に配置される、請求項１４２から１５１のいずれかに記載の方法。
【請求項１５３】
さらに、第１発泡体層上に配置された第２発泡体層を備える、請求項１５２に記載の方法。
【請求項１５４】
さらに、ポリウレタン材料の少なくとも１つの層の周囲に位置決めされた少なくとも１つのビードを備える、請求項１４２から１５３のいずれかに記載の方法。
【請求項１５５】
少なくとも１つのビードが、個々の断面積がある第１ビードおよび第２ビードを備え、第１ビードの断面積が第２ビードの断面積より大きい、請求項１５４に記載の方法。
【請求項１５６】
第１ビードが基体の中央部分の周囲に位置決めされ、第２ビードが基体の各端の周囲に位置決めされる、請求項１５５に記載の方法。
【請求項１５７】
さらに、カフを基体の端部に取り付けることを含む、請求項１４２から１５６のいずれかに記載の方法。
【請求項１５８】
取り付けることが、近位方向に力を加えながら、基体の端部上でカフの全体的に管状の近位部分を回転させることを含む、請求項１５７に記載の方法。
【請求項１５９】
さらに、基体の各端部上にｅＰＴＦＥスリーブを位置決めすることを含む、請求項１４２から１５８のいずれかに記載の方法。
【請求項１６０】
ｅＰＴＦＥ基体が、自身上に少なくとも１つのポリウレタン層が配置される前に、膨張直径へと半径方向に膨張し、少なくとも１つのポリウレタン層の配置後に、基体が膨張直径より小さい直径へと戻るように加熱される、請求項１４２から１５９のいずれかに記載の方法。
【請求項１６１】
さらに、基体、ｅＰＴＦＥ部材および少なくとも１つのポリウレタン層のうち少なくとも１つに生理活性剤を組み入れることを含む、請求項１４２から１６０のいずれかに記載の方法。
【請求項１６２】
生理活性剤が、基本的に炭素粒子、銀粒子、グラファイト粒子、抗生物質、マクロライド抗生物質、ステロイド、消炎剤、抗腫瘍薬、抗真菌剤、抗ウイルス剤、抗体、遺伝子配列剤、成長因子阻害剤、血管形成、抗血管形成、プロティナーゼ阻害剤、抗増殖化合物または細胞分裂周期調節剤およびその組合せで構成されたグループから選択される、請求項１６１に記載の方法。